【事件の表示】
　特願２０１０−１２７２１５「マルチアングルデータを再生する方法及び再生装置」拒絶査定不服審判事件〔平成２２年１１月２５日出願公開、特開２０１０−２６７３７１〕について、次のとおり審決する。
【結　論】
　本件審判の請求は、成り立たない。
【理　由】
第１　手続の経緯
　
　本願は、平成１６年７月６日（パリ条約による優先権主張　外国庁受理　２００３年７月７日　米国（ＵＳ）　２００３年１０月２９日　韓国（ＫＲ）　２００４年４月２日　韓国（ＫＲ））を国際出願日とする特願２００６−５１８５４７号の一部を平成２２年６月２日に新たな特許出願としたものであって、平成２３年８月２日付け拒絶理由通知に対して平成２４年２月９日付けで手続補正がなされたが、同年３月２８日付けで拒絶査定がされた。これに対し、同年８月３日付けで拒絶査定不服審判が請求されるとともに、同日付けで手続補正がなされた。
　その後、平成２４年１１月２９日付けで前置報告書を利用した審尋がなされ、平成２５年３月４日付けで回答書が提出されたものである。
　
第２　平成２４年８月３日付けの手続補正についての補正却下の決定
　
［補正却下の決定の結論］
　平成２４年８月３日付けの手続補正を却下する。
　
［理由］
１．本件補正
　
　平成２４年８月３日付けの手続補正（以下「本件補正」という。）は、特許請求の範囲についてするもので、本件補正前に、
「　【請求項１】
　再生装置が情報記録媒体からのマルチアングルデータを再生する方法であって、
　該マルチアングルデータは、第１のアングルに対応する第１のアングルデータ及び第２のアングルに対応する第２のアングルデータを有し、
　該第１のアングルデータ及び該第２のアングルデータは、それぞれ複数のブロックを有し、
　該第１及び第２のアングルデータのブロックは、インターリーブドブロックであって、互いにインターリービングされており、
　各前記のインターリーブドブロックのそれぞれは、前記マルチアングルデータの再生中に再生装置があるアングル転換点から別のアングル転換点へジャンプすることを可能にする少なくとも１つのアングル転換点を有し、
　当該方法は、
　前記再生装置のリードバッファが前記情報記録媒体から前記マルチアングルデータをバッファリングする段階、
　前記再生装置のデパケッタイザがバッファリングされた前記マルチアングルデータを変換する段階、
　あるアングル転換点から別のアングル転換点へジャンプする間に前記マルチアングルデータを再生する段階、
　を有し、
　前記アングル転換点の数は、
　２つのアングル転換点の間の距離を計算する段階、
　該計算した距離と前記インターリーブドブロックのパケットの再生長との間のオフセットを補正する補正段階、
　前記マルチアングルデータがデータ再生中に必要としうる最長ジャンプ距離を前記再生装置の最大ジャンプ距離よりも短く又は等しく制限する、１つのインターリーブドブロック内のアングル転換点の最大数を計算する段階、
を実行することから得られ、
　前記インターリーブドブロックの前記アングル転換点の最大数は、
　前記リードバッファにアンダーフローが発生しない時間の間ジャンプできる最大距離がアングル転換により求められる最長距離より大きいという条件を満たして設定され、
　前記リードバッファにアンダーフローが発生しない時間はデパケッタイザのデータ出力データによって決定される、ことを特徴とする方法。
　　【請求項２】
　前記補正段階は、
　第１の所定の時間の間に再生されるデータストリームの長さ及び該第１の所定の時間より長い第２の所定の時間の間に再生されるデータストリームの長さを計算する段階と、
　前記アングル転換点の間の距離が前記第１の所定の時間の間に再生されるデータストリームの長さよりも短い場合、該アングル転換点の間の距離を前記第１の所定の時間の間に再生されるデータストリームの長さで置き換える段階と、
　前記アングル転換点の間の距離が前記第１の所定の時間の間に再生されるデータストリームの長さよりも長く且つ前記第２の所定の時間の間に再生されるデータストリームの長さよりも短い場合、該アングル転換点の間の距離を前記第２の所定の時間の間に再生されるデータストリームの長さで置き換える段階と、
　を有することを特徴とする請求項１に記載の方法。
　　【請求項３】
　少なくとも一つのアングルからのシーンの再生のためのマルチアングルデータを含む記録媒体を再生する装置であって、
　マルチアングルデータを記録媒体でバッファリングするリードバッファと、
　バッファリングされた前記マルチアングルデータを変換するデパケッタイザを含み、
　前記マルチアングルデータは、第１のアングルに対応する第１のアングルデータ及び第２のアングルに対応する第２のアングルデータを有し、第１のアングルデータ及び第２のアングルデータは、それぞれ少なくとも一つのブロックを有し、第１及び第２のアングルデータのブロックはインターリーブドブロックであって互いにインターリービングされており、前記インターリーブドブロックのそれぞれは、前記マルチアングルデータの再生中に再生装置が存するアングル転換点から別のアングル転換点へジャンプすることを可能にする少なくとも一つのアングル転換点を有し、
　前記インターリーブドブロックの前記アングル転換点の最大数は、
　前記リードバッファにアンダーフローが発生しない時間の間ジャンプできる最大距離がアングル転換により求められる最長距離より大きいという条件を満たすように設定され、
　前記リードバッファにアンダーフローが発生しない時間はデパケッタイザのデータ出力データにより決定されることを特徴とする再生装置。」
とあったところを、
　
本件補正後、
「　【請求項１】
　再生装置が情報記録媒体からのマルチアングルデータを再生する方法であって、
　該マルチアングルデータは、第１のアングルに対応する第１のアングルデータ及び第２のアングルに対応する第２のアングルデータを有し、
　該第１のアングルデータ及び該第２のアングルデータは、それぞれ複数のブロックを有し、
　該第１及び第２のアングルデータのブロックは、インターリーブドブロックであって、互いにインターリービングされており、
　各前記のインターリーブドブロックのそれぞれは、前記マルチアングルデータの再生中に
前記
　当該方法は、
　前記再生装置のリードバッファが前記情報記録媒体から前記マルチアングルデータをバッファリングする段階、
　前記再生装置のデパケッタイザがバッファリングされた前記マルチアングルデータを変換する段階、
　あるアングル転換点から別のアングル転換点へジャンプする間に前記マルチアングルデータを再生する段階、
　を有し、
　前記アングル転換点の数は、
　２つのアングル転換点の間の距離を計算する段階、
　該計算した距離と前記インターリーブドブロックのパケットの再生長との間のオフセットを補正する補正段階、
　前記マルチアングルデータがデータ再生中に必要としうる最長ジャンプ距離を前記再生装置の最大ジャンプ距離よりも短く又は等しく制限する、１つのインターリーブドブロック内のアングル転換点の最大数を計算する段階、
を実行することから得られ、
　前記インターリーブドブロックの前記アングル転換点の最大数は、 
　前記リードバッファにアンダーフローが発生しない時間の間ジャンプできる最大距離がアングル転換により求められる最長距離より大きいという条件を満たして設定され、
　前記リードバッファにアンダーフローが発生しない時間はデパケッタイザ
の出
　　【請求項２】
　前記補正段階は、
　第１の所定の時間の間に再生されるデータストリームの長さ及び該第１の所定の時間より長い第２の所定の時間の間に再生されるデータストリームの長さを計算する段階と、
　前記アングル転換点の間の距離が前記第１の所定の時間の間に再生されるデータストリームの長さよりも短い場合、該アングル転換点の間の距離を前記第１の所定の時間の間に再生されるデータストリームの長さで置き換える段階と、
　前記アングル転換点の間の距離が前記第１の所定の時間の間に再生されるデータストリームの長さよりも長く且つ前記第２の所定の時間の間に再生されるデータストリームの長さよりも短い場合、該アングル転換点の間の距離を前記第２の所定の時間の間に再生されるデータストリームの長さで置き換える段階と、
　を有することを特徴とする請求項１に記載の方法。
　　【請求項３】
　少なくとも一つのアングルからのシーンの再生のためのマルチアングルデータを含む記録媒体を再生する装置であって、
　第１のアングルに対応する第１のアングルデータ及び第２のアングルに対応する第２のアングルデータを含む
前記記録媒体で読み出す読出し部と、
　読み出された前記マルチアングルデータを
　バッファリングされた前記マルチアングルデータを変換するデパケッタイザを含み、
　前記第１のアングルデータ及び第２のアングルデータは、それぞれ少なくとも一つのブロックを有し、第１及び第２のアングルデータのブロックはインターリーブドブロックであって互いにインターリービングされており、前記インターリーブドブロックのそれぞれは、前記マルチアングルデータの再生中に再生装置が存するアングル転換点から別のアングル転換点へジャンプすることを可能にする少なくとも一つのアングル転換点を有し、
　前記読出し部は、アングル転換が要請されれば、前記第１のアングルデータの第１のアングル転換点まで前記第１のアングルデータを読み出し、前記第１のアングル転換点に対応し前記第２のアングルデータに含まれる第２のアングル転換点から前記第２のアングルデータを読み出し、
　読み出される
に含まれる
　前記リードバッファにアンダーフローが発生しない時間はデパケッタイザのデータ出力
レート
とするものである。
　
　上記本件補正は、請求項３についてする補正であって、その内容は、補正前請求項３に記載した発明特定事項である「再生装置」について「第１のアングルに対応する第１のアングルデータ及び第２のアングルに対応する第２のアングルデータを含むマルチアングルデータを前記記録媒体で読み出す読出し部」を含み、「前記読出し部は、アングル転換が要請されれば、前記第１のアングルデータの第１のアングル転換点まで前記第１のアングルデータを読み出し、前記第１のアングル転換点に対応し前記第２のアングルデータに含まれる第２のアングル転換点から前記第２のアングルデータを読み出」すと限定したものである。
　本件補正は、補正前請求項３に記載した発明特定事項を限定するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後の請求項３に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下検討する。
　
２．先願明細書等
　
　原査定の拒絶の理由に引用された、本願の優先権主張の日前の優先権主張を伴う国際特許出願であって、本願の優先権主張の日後に国際公開された特願２００５−５０５７０６号（国際出願番号ＰＣＴ／ＪＰ２００４／００４６４８、国際公開第２００４／０９５８３４号参照、優先権主張　特願２００３−１１９３３２号　２００３年４月２４日　日本国（ＪＰ））の国際出願日における国際出願の明細書、特許請求の範囲及び図面（以下「先願明細書等」という。）には、図面と共に、以下の記載がある。（なお、下線は当審で付与した。）
　
（１）「上述した映像データや音声データなどから構成される複数のデータが記録されている記録媒体として、特に、ＤＶＤ（Ｄｉｇｉｔａｌ  Ｖｅｒｓａｔｉｌｅ  Ｄｉｓｃ）ビデオがあり、ＤＶＤビデオのフォーマットには、マルチアングル再生が規定されている。
マルチアングル再生が可能な所定の再生区間において、ユーザは、自分の嗜好に合うアングルを選択することができ、その際、記録再生装置によりアングル間の切り替えをシームレスに再生することができる。
  図１は、ＤＶＤビデオのマルチアングルのフォーマットを説明する図である。
  マルチアングルの再生区間は、複数の一再生区間により構成されており、その一再生区間はセル（Ｃｅｌｌ）と呼ばれる。図１の例では、マルチアングル（ｍｕｌｔｉａｎｇｌｅ）の再生区間が、アングル＃１（Ａｎｇｌｅ＃１）乃至アングル＃３（Ａｎｇｌｅ＃３）の３つのアングルのセル＃ｉ＋１乃至セル＃ｉ＋３により構成されている。ここで、セルに対応する実態のＡＶストリームデータはＶＯＢ（Ｖｉｄｅｏ  Ｏｂｊｅｃｔ）と呼ばれる。　
　図２に、ＤＶＤビデオのマルチアングルを実現するための、インターリーブドブロック構造を示す。
インターリーブドブロックは、複数のＩＬＶＵ（Ｉｎｔｅｒｌｅａｖｅｄ  Ｕｎｉｔ）と呼ばれる単位で構成される。
　
（２）「図４は、本発明を適用した
記録再生装置
　
（３）「
多重化ストリームは、例えば、ＭＰＥＧ２トランスポートストリームやＭＰＥＧ２プログラムストリームである。ソースパケッタイザ１９は、入力された多重化ストリームを、そのストリームを記録させる記録媒体１００のアプリケーションフォーマットに従って、ソースパケットから構成されるＡＶストリームに符号化する。
　
（４）「
入力トランスポートストリームを再エンコードした後に記録する場合、端子１３に入力されたトランスポートストリームは、スイッチ２５からデマルチプレクサ２６に入力される。デマルチプレクサ２６は、入力されたトランスポートストリームに対してデマルチプレクス処理を施し、ビデオストリーム（Ｖ）、オーディオストリーム（Ａ）、およびシステム情報（Ｓ）を抽出する。
　
（５）「
このようにして記録媒体１００に記録されたＡＶストリームファイル（画像データと音声データのファイル）と、アプリケーションデータベース情報が再生部３により再生される場合
　制御部２３は、アプリケーションデータベース情報に基づいて、記録媒体１００に記録されているプレイリストの一覧を端子２４のユーザインタフェースへ出力する。ユーザは、プレイリストの一覧から再生したいプレイリストを選択し、再生を指定されたプレイリストに関する情報が、端子２４から制御部２３に入力される。制御部２３は、そのプレイリストの再生に必要なＡＶストリームファイルの読み出しを、読み出し部２８に指示する。
読み出し部２８は、その指示に従い、記録媒体１００から対応するＡＶストリームを読み出し、復調部２９に出力する。
  
ソースデパケッタイザ３１は、記録媒体１００から読み出され、所定の処理が施されたアプリケーションフォーマットのＡＶストリームを、デマルチプレクサ２６が処理可能なストリームに変換する。
　
（６）「ＤＶＲ  ＭＰＥＧ２トランスポートストリームについて説明する。図６に、ＡＶストリームファイルの構造を示す。
  ＡＶストリームファイルは、ＤＶＲ  ＭＰＥＧ２トランスポートストリームの構造を持つ。ＤＶＲ  ＭＰＥＧ２トランスポートストリームは、整数個のアラインユニット（Ａｌｉｇｎｅｄ  ｕｎｉｔ）から構成される。アラインユニットの大きさは、６１４４バイト（２０４８×３バイト）である。アラインユニットは、ソースパケットの第１バイト目から始まる。
ソースパケットは、１９２バイト長である。１つのソースパケットは、ＴＰ＿ｅｘｔｒａ＿ｈｅａｄｅｒとトランスポートパケットから成る。ＴＰ＿ｅｘｔｒａ＿ｈｅａｄｅｒは、４バイト長であり、またトランスポートパケットは、１８８バイト長である。
　
（７）「図７を用いて、マルチアングルにおいてシームレス（再生画像または音声が、アングル切り替え時に途絶えることなく）にアングル変更の再生を行うことができるようにするために、本発明において採用される構成について説明する。
  例えば、マルチアングル区間の中に３つのアングルである、アングル＃１，アングル＃２，およびアングル＃３があるとする。このとき、
それぞれのアングルが１つのプレイリストを構成する。
  また、図７の例の場合、
再生区間は、１つのアングルから他のアングルに移行可能なタイミングの位置（アングル切り替え点）で、異なるプレイアイテムに分けられる。
  
再生区間ａ１，ｂ１，およびｃ１のプレイアイテムは、同じイン点（ＩＮ＿ｔｉｍｅ）とアウト点（ＯＵＴ＿ｔｉｍｅ）の組を持ち、例えば、ＩＮ＿ｔｉｍｅはＴ１であり、ＯＵＴ＿ｔｉｍｅはＴ２である。同様に、再生区間ａ２，ｂ２，およびｃ２のプレイアイテムは、同じイン点（ＩＮ＿ｔｉｍｅ）とアウト点（ＯＵＴ＿ｔｉｍｅ）の組を持ち、例えば、ＩＮ＿ｔｉｍｅはＴ２であり、ＯＵＴ＿ｔｉｍｅはＴ３である。更に、再生区間ａ３，ｂ３，およびｃ３のプレイアイテムは、同じイン点（ＩＮ＿ｔｉｍｅ）とアウト点（ＯＵＴ＿ｔｉｍｅ）の組を持ち、例えば、ＩＮ＿ｔｉｍｅはＴ３であり、ＯＵＴ＿ｔｉｍｅはＴ４である。
  図８のフローチャートを参照して、マルチアングルにおいてシームレスにアングルを変更する場合の基本的な処理であるアングル変更処理について説明する。
  
ステップＳ１において、制御部２３は、ユーザから、今再生しているアングルを切り替えるように指示されたか否かを判断する。
  
ステップＳ１において、アングルの変更が指示されたと判定された場合、ステップＳ２において、制御部２３は、再生位置がアングル切り替え点であるか否かを判断する。
  
ステップＳ２において、現在の位置がアングル切り替え点ではないと判断された場合、現在の位置がアングル切り替え点であると判断されるまで、ステップＳ２の処理が繰り返される。ステップＳ２において、現在の位置がアングル切り替え点であると判断された場合、ステップＳ３において、制御部２３は、再生位置を、指定されたアングルのプレイアイテムで規定されるＡＶストリームの先頭の位置に移行（ジャンプ）させ、そのＡＶストリームのデータを再生させる。
　
（８）「次に、図１１を用いて、複数のクリップを多重化して記録する方法について説明する。
  マルチアングルを構成する各アングルの各プレイアイテムに対応するＡＶストリームデータを記録媒体１００に記録するとき、図１１に示されるように、Ａ１，Ｂ１，Ｃ１，Ａ２，Ｂ２，Ｃ２，Ａ３，Ｂ３，Ｃ３のように、
各アングルのＡＶストリームデータを、アングル切り替えが可能な最小単位であるアングル切り替えユニットごとにインターリーブして記録する
  次に、図１２を用いて、複数のクリップを多重化して記録する他の方法について説明する。
  マルチアングルを構成する各アングルの各プレイアイテムに対応するＡＶストリームデータを記録媒体１００に記録するとき、例えば、図１２に示されるように、Ａ１，Ａ２，Ａ３，Ｂ１，Ｂ２，Ｂ３，Ｃ１，Ｃ２，Ｃ３のように、
同一のアングルのＡＶストリームデータのうちの複数
の連続するアングル切り替えユニットごとに
、各アングルのＡＶストリームデータをインターリーブして記録するようにしてもよい。
アングル切り替え点
  図１２を用いて説明したように、
連続する複数のアングル切り替えユニットをＩＬＶＵとした
　
（９）「
記録再生装置１が、一定距離をジャンプして再生させる場合のジャンプに必要な時間およびデータを読み取るための速度、並びに、記録するＡＶストリームのレートおよびアングル数によって、データを途切れることなく再生させることが可能な、アングル切り替えユニットを連続して配置することができる個数Ｍの選択範囲が決まる。
　
（１０）「
制御部２３は、ステップＳ７３において、端子２４から供給されるユーザの操作入力に基づいて、メモリ３４に保存されているテーブルから、所望のジャンプ距離ｊを選択し、ステップＳ７４において、メモリ３４を参照し、ステップＳ７３で選択されたジャンプ距離ｊに対応するジャンプ時間Ｔａｃｃを取得する。
  
ステップＳ７５において、制御部２３は、ステップＳ７４で取得されたジャンプ時間から、平均レートＲａｖｅ以上の値であるＡＶストリームレートの値Ｒｍａｘに対応する最小アングル切り替え時間ｔを算出する。
  Ｒｕｄ×（ｔ−Ｔａｃｃ）＝Ｒｍａｘ×ｔ・・・（２）  ｔ＝Ｔａｃｃ×Ｒｍａｘ／（Ｒｕｄ−Ｒｍａｘ）・・・（３）
  ここで、Ｒｕｄは、データの読み出し速度である。
データの再生処理において、シームレスにデータを再生するためには、データの読み込みとジャンプにかかる時間の合計よりも、最小アングル切り替え時間を大きく設定しなければならない。換言すれば、あるＩＬＶＵのデータがデータ読み出し速度Ｒｕｄで読み込まれたとき、読み込まれた１  ＩＬＶＵのデータは、順次、所定のＡＶストリームレートで再生される。そして、データの読み込みが終了してから、その１  ＩＬＶＵのデータの再生が終了されるまでに、次に読み込むＩＬＶＵの開始位置までのジャンプが終了しなければ、データは連続して再生されず、途切れてしまう。
  
ステップＳ７６において、制御部２３は、端子２４から供給されるユーザの操作入力に基づいて、ユーザが希望するアングル切り替え時間Ｔｃを取得し、ＡＶストリームレートと、ユーザが希望するアングル切り替え時間Ｔｃから、次の式、（４）を用いて、アングル切り替えユニットのサイズＵｓｉｚｅを決定する。なお、アングル切り替え時間Ｔｃは、最小アングル切り替え時間ｔよりも長くなければならないので、ユーザが希望するアングル切り替え時間Ｔｃが最小アングル切り替え時間ｔよりも短い場合、アングル切り替えユニットのサイズＵｓｉｚｅは演算されない。
  Ｕｓｉｚｅ＝Ｔｃ×Ｒｍａｘ／８＋α・・・（４）
  ここで、αは、データ読み出し時に発生するオーバーヘッドの係数であり、記録媒体に特有の値である。αは、例えば、メディアアクセスブロックサイズの２倍やＥＣＣブロックサイズの２倍の値となり、０．１２５×１０６（ｂｙｔｅ）程度の値である。
  
ステップＳ７７において、制御部２３は、次の式（５）を用いて、選択されたジャンプ距離ｊ内に、アングル数タイプＡ乃至Ｃにおいて、それぞれのアングル数Ｎを入れるためのアングル切り替えユニットのサイズの上限Ｕｍａｘを算出する。
  
Ｕｍａｘ＝ｊ／（（２Ｎ−２）Ｍ）・・・（５）
  
ステップＳ７８において、制御部２３は、アングル切り替えユニットサイズの上限値Ｕｍａｘが、アングル切り替えユニットサイズＵｓｉｚｅ以上となるような範囲内で、記録方法を選択する。
  すなわち、算出されたアングル切り替えユニットサイズの上限値Ｕｍａｘとアングル切り替えユニットサイズＵｓｉｚｅとを比較して、算出されたアングル切り替えユニットサイズの上限値Ｕｍａｘがアングル切り替えユニットサイズＵｓｉｚｅより大きい記録方法が、利用可能な記録方法として選択される。」（３３頁１１行〜３５頁７行）
　なお、「アングル数タイプＡ乃至Ｃ」は誤記であり、正しくは、３２頁１２〜１５行の記載「ここで、データ記録方法は、アングル切り替えユニットの」「連続数Ｍが１であるタイプＡ、アングル切り替えユニットの連続数Ｍが２であるタイプＢ、または、アングル切り替えユニットの連続数Ｍが４であるタイプＣのうちのいずれかから選択されるものとする。」より、「アングル切り替えユニットの連続数タイプＡ乃至Ｃ」である。
　
（１１）「データ配置を管理するための情報の情報量は、断片数に比例して多くなる。すなわち、タイトルの記録時間が長くなれば、断片数も増えるため、データ配置を管理するための情報の情報量も増えてしまう。したがって、記録媒体の記録容量を有効に利用するために、
ユーザがデータを記録するために設定する条件に合致する記録方法が複数存在した場合、連続するアングル切り替えユニット数ができるだけ多くなるような記録方法が自動的に選択されるようにしても良いし、ユーザに対して、連続するアングル切り替えユニット数ができるだけ多くなるような記録方法の選択を促すようにしても良い。
　
（１２）「次に、図２５のフローチャートを参照して、以上のようにして記録された
マルチアングルのＡＶストリームデータを再生する
　
　上記摘示事項及び図面の記載を総合勘案すると、先願明細書等には、次の発明（以下「先願発明」という。）が記載されているものと認める。
　
「マルチアングルのＡＶストリームデータを再生する記録再生装置であって、
　マルチアングル再生が可能な所定の再生区間において、ユーザは、自分の嗜好に合うアングルを選択することができ、その際、記録再生装置によりアングル間の切り替えをシームレスに再生することができ、
　記録再生装置は、
　記録媒体からソースパケットから構成されるＡＶストリームを読み出す読み出し部と、
　記録媒体から読み出され、アプリケーションフォーマットのソースパケットから構成されるＡＶストリームを、デマルチプレクサが処理可能なＭＰＥＧ２トランスポートストリームに変換するソースデパケッタイザと
　を含み、
　マルチアングルのＡＶストリームデータは、複数のＩＬＶＵ（Ｉｎｔｅｒｌｅａｖｅｄ  Ｕｎｉｔ）と呼ばれる単位で構成され、
　各アングルのＡＶストリームデータは、アングル切り替えが可能な最小単位であるアングル切り替えユニットごとに、若しくは、同一のアングルのＡＶストリームデータのうちの複数の連続するアングル切り替えユニットごとにインターリーブして記録され、
　ユーザから、今再生しているアングルを切り替えるように指示された場合、現在の再生位置がアングル切り替え点であると判断されるまで、今再生しているアングルのプレイアイテムで規定されるＡＶストリームのデータを再生し、再生位置を、指定されたアングルのプレイアイテムで規定されるＡＶストリームの先頭の位置に移行（ジャンプ）させ、そのＡＶストリームのデータを再生し、
　ユーザの操作入力に基づいて所望のジャンプ距離ｊを選択し、選択されたジャンプ距離ｊに対応するジャンプ時間Ｔａｃｃを取得し、取得されたジャンプ時間から、平均レートＲａｖｅ以上の値であるＡＶストリームレートの値Ｒｍａｘに対応し、シームレスにデータを再生する最小アングル切り替え時間ｔを算出し、ユーザの操作入力に基づいて、ユーザが希望するアングル切り替え時間Ｔｃを取得し、最小アングル切り替え時間ｔよりも長いアングル切り替え時間Ｔｃについて、ＡＶストリームレートと、ユーザが希望するアングル切り替え時間Ｔｃから、アングル切り替えユニットのサイズＵｓｉｚｅを決定し、Ｕｍａｘ＝ｊ／（（２Ｎ−２）Ｍ）を用いて、選択されたジャンプ距離ｊ内に、アングル切り替えユニットの連続数Ｍにおいて、アングル数Ｎを入れるためのアングル切り替えユニットのサイズの上限Ｕｍａｘを算出し、アングル切り替えユニットサイズの上限値Ｕｍａｘが、アングル切り替えユニットサイズＵｓｉｚｅ以上となるような範囲内で、連続するアングル切り替えユニット数ができるだけ多くなるような記録方法を選択し、
　あるＩＬＶＵのデータがデータ読み出し速度Ｒｕｄで読み込まれたとき、読み込まれた１  ＩＬＶＵのデータは、順次、所定のＡＶストリームレートＲｍａｘで再生され、データの読み込みが終了してから、その１  ＩＬＶＵのデータの再生が終了されるまでに、次に読み込むＩＬＶＵの開始位置までのジャンプが終了することにより、シームレスにデータを再生する記録再生装置。」
　
３．対比
　
　そこで、本件補正発明と先願発明とを対比する。
　対比に当たり、本件補正後の請求項３の「マルチアングルデータを前記記録媒体
で
から
　
（１）先願発明の「マルチアングルのＡＶストリームデータ」、「記録再生装置」は、それぞれ、本件補正発明の「マルチアングルデータ」、「装置」に相当し、先願発明は、「マルチアングル再生が可能な所定の再生区間において、ユーザは、自分の嗜好に合うアングルを選択することができ、その際、記録再生装置によりアングル間の切り替えをシームレスに再生することができ」るものであるから、本件補正発明と本願発明とは、「少なくとも一つのアングルからのシーンの再生のためのマルチアングルデータを含む記録媒体を再生する装置であ」る点で共通する。
（２）先願発明の「読み出し部」は、本件補正発明の「読取し部」に相当し、本件補正発明と先願発明とは、「第１のアングルに対応する第１のアングルデータ及び第２のアングルに対応する第２のアングルデータを含むマルチアングルデータを前記記録媒体から読み出す読出し部」を含む点で共通する。
（３）先願発明は、「記録媒体からソースパケットから構成されるＡＶストリームを読み出す読み出し部」を含み、「マルチアングルのＡＶストリームデータは、複数のＩＬＶＵ（Ｉｎｔｅｒｌｅａｖｅｄ  Ｕｎｉｔ）と呼ばれる単位で構成され、」「あるＩＬＶＵのデータがデータ読み出し速度Ｒｕｄで読み込まれたとき、読み込まれた１  ＩＬＶＵのデータは、順次、所定のＡＶストリームレートＲｍａｘで再生され、データの読み込みが終了してから、その１  ＩＬＶＵのデータの再生が終了されるまでに、次に読み込むＩＬＶＵの開始位置までのジャンプが終了することにより、シームレスにデータを再生する」ものであるところ、そのように再生するためには、「シームレスにデータを再生するための、記録媒体から読み出されたソースパケットから構成されるＡＶストリームを格納するリードバッファ」が必須であることは自明である。
　すなわち、先願発明は、「シームレスにデータを再生するための、記録媒体から読み出されたソースパケットから構成されるＡＶストリームを格納するリードバッファ」を有することは明らかである。
　したがって、本件補正発明と先願発明とは、「読み出された前記マルチアングルデータをバッファリングするリードバッファ」を含む点で共通する。
（４）先願発明の「ソースデパケッタイザ」は、本件補正発明の「デパケッタイザ」に相当し、本件補正発明と先願発明とは、「バッファリングされた前記マルチアングルデータを変換するデパケッタイザ」を含む点で共通する。
（５）先願発明の「ＩＬＶＵ（Ｉｎｔｅｒｌｅａｖｅｄ  Ｕｎｉｔ）」、「アングル切り替え点」は、それぞれ、本件補正発明の「インターリーブドブロック」、「アングル転換点」に相当し、先願発明は、「マルチアングルのＡＶストリームデータは、複数のＩＬＶＵ（Ｉｎｔｅｒｌｅａｖｅｄ  Ｕｎｉｔ）と呼ばれる単位で構成され、各アングルのＡＶストリームデータは、アングル切り替えが可能な最小単位であるアングル切り替えユニットごとに、若しくは、同一のアングルのＡＶストリームデータのうちの複数の連続するアングル切り替えユニットごとにインターリーブして記録され」るものであるから、本件補正発明と先願発明とは、「前記第１のアングルデータ及び第２のアングルデータは、それぞれ少なくとも一つのブロックを有し、第１及び第２のアングルデータのブロックはインターリーブドブロックであって互いにインターリービングされており、前記インターリーブドブロックのそれぞれは、前記マルチアングルデータの再生中に再生装置が存するアングル転換点から別のアングル転換点へジャンプすることを可能にする少なくとも一つのアングル転換点を有」する点で共通する。
（６）先願発明は、「ユーザから、今再生しているアングルを切り替えるように指示された場合、現在の再生位置がアングル切り替え点であると判断されるまで、今再生しているアングルのプレイアイテムで規定されるＡＶストリームのデータを再生し、再生位置を、指定されたアングルのプレイアイテムで規定されるＡＶストリームの先頭の位置に移行（ジャンプ）させ、そのＡＶストリームのデータを再生」するものであるから、本件補正発明と先願発明とは、「前記読出し部は、アングル転換が要請されれば、前記第１のアングルデータの第１のアングル転換点まで前記第１のアングルデータを読み出し、前記第１のアングル転換点に対応し前記第２のアングルデータに含まれる第２のアングル転換点から前記第２のアングルデータを読み出」す点で共通する。
　
　そうすると、本件補正発明と先願発明とは、次の点で一致することは明らかである。
　
＜一致点＞
　
「少なくとも一つのアングルからのシーンの再生のためのマルチアングルデータを含む記録媒体を再生する装置であって、
　第１のアングルに対応する第１のアングルデータ及び第２のアングルに対応する第２のアングルデータを含むマルチアングルデータを前記記録媒体から読み出す読出し部と、　
　読み出された前記マルチアングルデータをバッファリングするリードバッファと、
　バッファリングされた前記マルチアングルデータを変換するデパケッタイザを含み、
　前記第１のアングルデータ及び第２のアングルデータは、それぞれ少なくとも一つのブロックを有し、第１及び第２のアングルデータのブロックはインターリーブドブロックであって互いにインターリービングされており、前記インターリーブドブロックのそれぞれは、前記マルチアングルデータの再生中に再生装置が存するアングル転換点から別のアングル転換点へジャンプすることを可能にする少なくとも一つのアングル転換点を有し、
　前記読出し部は、アングル転換が要請されれば、前記第１のアングルデータの第１のアングル転換点まで前記第１のアングルデータを読み出し、前記第１のアングル転換点に対応し前記第２のアングルデータに含まれる第２のアングル転換点から前記第２のアングルデータを読み出（す）再生装置。」の点。
　
　そして、上記一致点以外の、本件補正発明が備える特定事項は次の（１）、（２）であり、これらの特定事項については、先願発明に明示の特定はなく、これらの点について次項４．で検討する。
　
（１）「読み出される前記インターリーブドブロックに含まれる前記アングル転換点の最大数は、前記リードバッファにアンダーフローが発生しない時間の間ジャンプできる最大距離がアングル転換により求められる最長距離より大きいという条件を満たすように設定され」る点。
　
（２）「前記リードバッファにアンダーフローが発生しない時間はデパケッタイザのデータ出力レートにより決定される」点。
　
４．判断
　
　そこで、先願発明が、上記３．の（１）、（２）の特定事項を備えるか、について検討する。
　
　〈特定事項（１）について〉
　先願発明において、「シームレスにデータを再生する」ことは、ジャンプが終了するまでに、リードバッファにアンダーフローが発生しないことを意味する。
　先願発明は、「ユーザの操作入力に基づいて所望のジャンプ距離ｊを選択し、選択されたジャンプ距離ｊに対応するジャンプ時間Ｔａｃｃを取得し、取得されたジャンプ時間から、平均レートＲａｖｅ以上の値であるＡＶストリームレートの値Ｒｍａｘに対応し、シームレスにデータを再生する最小アングル切り替え時間ｔを算出」するものであるから、仮に、アングル切り替え時間Ｔｃを最小アングル切り替え時間ｔとした場合、選択されたジャンプ距離ｊは、リードバッファにアンダーフローが発生しない時間の間ジャンプできる最大距離である。
　実際には、アングル切り替え時間Ｔｃは最小アングル切り替え時間ｔよりも長いから、リードバッファにアンダーフローが発生しない時間の間ジャンプできる最大距離は、選択されたジャンプ距離ｊよりもさらに大きい距離である。
　アングル切り替えにより求められる最長距離は、アングル切り替えユニットのサイズＵｓｉｚｅに（２Ｎ−２）Ｍを乗じたものである（Ｎはアングル数、Ｍはアングル切り替えユニットの連続数）。
　アングル切り替えユニットのサイズの上限Ｕｍａｘをｊ／（（２Ｎ−２）Ｍ）とすると、リードバッファにアンダーフローが発生しない時間の間ジャンプできる最大距離は、アングル切り替えにより求められる最長距離より大きくなる。
　そして、先願発明は、「アングル切り替えユニットサイズの上限値Ｕｍａｘが、アングル切り替えユニットサイズＵｓｉｚｅ以上となるような範囲内で、連続するアングル切り替えユニット数ができるだけ多くなるような記録方法を選択」するものである。
　そうすると、先願発明も、読み出されるインターリーブドブロックに含まれるアングル転換点の最大数は、リードバッファにアンダーフローが発生しない時間の間ジャンプできる最大距離がアングル転換により求められる最長距離より大きいという条件を満たすように設定されるものである。
　上記特定事項（１）は、明示はなくとも、先願発明が備えている事項といえ、この点で、本件補正発明と先願発明は相違するものではない。
　
　〈特定事項（２）について〉
　先願発明において、シームレスにデータが再生される場合、ジャンプ中にリードバッファから出力するデータ量は、ジャンプ時間に「リードブァッファ」から読み出されるＡＶストリームのデータ量、すなわち、（ジャンプ時間）×（ＡＶストリームレートＲｍａｘ）であることは明らかであり、
　ＡＶストリームレートＲｍａｘはソースデパケッタイザからのトランスポートパケットの出力レートによって決まるといえるから、
　先願発明も、リードバッファにアンダーフローが発生しない時間はデパケッタイザのデータ出力レートにより決定されるものである。
　上記特定事項（２）は、明示はなくとも、先願発明が備えている事項といえ、この点で、本件補正発明と先願発明は相違するものではない。
　
　以上のとおりであるから、先願発明は、本件補正発明のすべての特定事項を備えているということになる。
　
　したがって、本件補正発明は、先願明細書等に記載された発明と実質的に同一であり、しかも、本件出願の発明者が先願明細書等に記載された発明をした者と同一ではなく、また本件出願の時において、その出願人が上記国際特許出願の出願人と同一でもないので、特許法第２９条の２の規定により、特許出願の際独立して特許を受けることができないものである。
　
５．本件補正についてのむすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成２４年８月３日付けの手続補正は、上記のとおり却下されたので、本願の請求項１ないし３に係る発明は、平成２４年２月９日付けの手続補正により補正された特許請求の範囲の請求項１ないし３に記載された事項により特定されるものであるところ、請求項３に係る発明（以下「本願発明」という。）は、上記「第２［理由］１．」に本件補正前の請求項３として記載したとおりのものである。
　
２．先願明細書等
　
　原査定の拒絶の理由で引用された先願明細書等及びその記載事項は、上記「第２［理由］２．」に記載したとおりである。
　
３．対比・判断
　
　本願発明は、上記「第２［理由］３．及び４．」で検討した本件補正発明から、発明特定事項である「再生装置」について「第１のアングルに対応する第１のアングルデータ及び第２のアングルに対応する第２のアングルデータを含むマルチアングルデータを前記記録媒体で読み出す読出し部」を含み、「前記読出し部は、アングル転換が要請されれば、前記第１のアングルデータの第１のアングル転換点まで前記第１のアングルデータを読み出し、前記第１のアングル転換点に対応し前記第２のアングルデータに含まれる第２のアングル転換点から前記第２のアングルデータを読み出」すとの構成を削除したものである。
　そうすると、本願発明の構成要件を全て含み、さらに他の構成要件を付加したものに相当する本件補正発明が、上記「第２［理由］３．及び４．」に記載したとおり、先願発明と実質的に同一であるから、本願発明も、同様の理由により、先願発明と実質的に同一である。
　
　なお、本件補正前の請求項３の「前記リードバッファにアンダーフローが発生しない時間はデパケッタイザのデータ出力データにより決定される」は、明細書及び図面の記載を参酌して、本件補正後の請求項３の「前記リードバッファにアンダーフローが発生しない時間はデパケッタイザのデータ出力
レート
　
４．むすび
　
　以上のとおり、本願の請求項３に係る発明は、特許法第２９条の２の規定により特許を受けることができない。
　したがって、本願は、その余の請求項について論及するまでもなく拒絶すべきものである。
　
　よって、結論のとおり審決する。